(57)【要約】【課題】取付部材の移動操作が容易であり、ロックの信頼性を高めることができるコネクタを提供する。【解決手段】コネクタは、ハウジングと、ハウジングに移動して装着される取付部材と、を備える。ハウジングは、ロック部を有し、取付部材は、ロックアームを有している。ロックアームは、装着時の移動方向に延びる形状であって、移動方向の一端部に、ロック部にロックされる被ロック部を有し、移動方向の他端部に被押圧部を有し、被ロック部と被押圧部との間に支点部を有している。ロックアームは、被押圧部への押圧により支点部を支点として弾性的に傾き、被ロック部を、ロック部を乗り越え可能な位置まで変位させるように動作する。【選択図】図９
2020161360.tif 000002
【特許請求の範囲】
【請求項１】
ハウジングと、前記ハウジングに移動して装着される取付部材と、を備え、
前記ハウジングは、ロック部を有し、前記取付部材は、ロックアームを有し、
前記ロックアームは、前記取付部材の装着時の移動方向に延びる形状であって、前記移動方向の一端部に、前記ロック部にロックされる被ロック部を有し、前記移動方向の他端部に被押圧部を有し、前記被ロック部と前記被押圧部との間に支点部を有しており、
前記ロックアームは、前記被押圧部への押圧により前記支点部を支点として弾性的に傾き、前記被ロック部を、前記ロック部を乗り越え可能な位置まで変位させるように動作するコネクタ。
【請求項２】
前記被ロック部および前記ロック部の両ロック面のうち、少なくとも一方のロック面は、前記移動方向に対して垂直に配置されている請求項１に記載のコネクタ。
【請求項３】
前記ハウジングは、相手ハウジングに嵌合され、
前記ロックアームは、外面に、前記移動方向に延びるリブを有し、
前記リブは、前記相手ハウジングに設けれられたリブ受部に嵌合して挿入される請求項１または請求項２に記載のコネクタ。
【請求項４】
前記取付部材は、前記移動方向と交差する方向に関して前記ロックアームの両側を覆う位置に、保護壁を有している請求項１から請求項３のいずれか１項に記載のコネクタ。
【請求項５】
前記ロックアームは、前記移動方向の一端部の先端側において、前記被ロック部から突出する位置に、前記ハウジングの装着面から距離を置いて配置される突片部を有している請求項１から請求項４のいずれか１項に記載のコネクタ。
【請求項６】
前記ロック部は、前記ハウジングの両側面に対をなして設けられ、
前記ロックアームは、前記ロック部と対応する位置に、前記取付部材の両側面に対をなして設けられ、
前記被押圧部は、前記移動方向の後端部に配置されている請求項１から請求項５のいずれか１項に記載のコネクタ。
【発明の詳細な説明】
【技術分野】
【０００１】
本開示は、コネクタに関する。
【背景技術】
【０００２】
特許文献１に開示されたコネクタは、ハウジングと、ハウジングに装着される取付部材としてのリテーナと、を備えている。ハウジングは、上下面に、仮係止用の第１ロック部を有し、左右面に、本係止用の第２ロック部を有している。リテーナは、上下面に、第１ロック部と対応する第１ロック溝を有し、左右面に、第２ロック部と対応する第２ロック溝を有している。リテーナは、第１ロック部が第１ロック溝に嵌まることで、ハウジングに対し仮係止位置に保持される。リテーナが押し込まれると、リテーナの先端が第２ロック部を乗り越え、第２ロック部が第２ロック溝に嵌まる。これにより、リテーナがハウジングに対し本係止位置に保持される。この種のリテーナを備えたコネクタは、特許文献２にも開示されている。
【先行技術文献】
【特許文献】
【０００３】
【特許文献１】特開平８−１４８２１４号公報
【特許文献２】特開２００３−７３９０号公報
【発明の概要】
【発明が解決しようとする課題】
【０００４】
上記の場合、リテーナが不用意に本係止位置に移動しないように、リテーナと第２ロック部とのロック強度を十分に確保することが求められる。一方、リテーナと第２ロック部とのロック強度を大きくすると、リテーナを本係止位置に移動させる際、ロック状態を解除するための操作力も大きくなり、作業性が低下する懸念がある。
【０００５】
そこで、取付部材の移動操作が容易であり、しかもロックの信頼性を高めることが可能なコネクタを提供することを目的とする。
【課題を解決するための手段】
【０００６】
本開示のコネクタは、ハウジングと、前記ハウジングに移動して装着される取付部材と、を備え、前記ハウジングは、ロック部を有し、前記取付部材は、ロックアームを有し、前記ロックアームは、前記取付部材の装着時の移動方向に延びる形状であって、前記移動方向の一端部に、前記ロック部にロックされる被ロック部を有し、前記移動方向の他端部に被押圧部を有し、前記被ロック部と前記被押圧部との間に支点部を有しており、前記ロックアームは、前記被押圧部への押圧により前記支点部を支点として弾性的に傾き、前記被ロック部を、前記ロック部を乗り越え可能な位置まで変位させるように動作する。
【発明の効果】
【０００７】
本開示によれば、取付部材の移動操作が容易であり、ロックの信頼性を高めることができるコネクタを提供することが可能となる。
【図面の簡単な説明】
【０００８】
【図１】図１は、実施形態１にかかるコネクタにおいて、両ハウジングが正規に嵌合した状態を示す横断面図である。
【図２】図２は、リテーナがハウジングに対し本係止位置に装着された状態を示す側面図である。
【図３】図３は、リテーナがハウジングに対し本係止位置に装着された状態を示す側断面図である。
【図４】図４は、リテーナがハウジングに対し仮係止位置に装着された状態を示す側面図である。
【図５】図５は、ハウジングの斜視図である。
【図６】図６は、リテーナの斜視図である。
【図７】図７は、リテーナの側断面図である。
【図８】図８は、リテーナがハウジングに対し仮係止位置に装着され、被ロック部が仮係止用および本係止用のロック部間に配置された状態を示す拡大平断面図である。
【図９】図９は、リテーナが本係止位置へ向かう過程において、被押圧部が押圧され、被ロック部が本係止用のロック部を乗り越え可能な位置まで変位した状態を示す拡大平断面図である。
【図１０】図１０は、リテーナが本係止位置へ向かう過程において、被ロック部が本係止用のロック部の端面に乗り上げられた状態を示す拡大平断面図である。
【図１１】図１１は、リテーナが本係止位置に至り、アーム本体が弾性的に復帰し、被ロック部が本係止用のロック部にロックされた状態を示す拡大平断面図である。
【発明を実施するための形態】
【０００９】
［本開示の実施形態の説明］
最初に本開示の実施態様を列記して説明する。  
本開示のコネクタは、
（１）ハウジングと、前記ハウジングに移動して装着される取付部材と、を備え、前記ハウジングは、ロック部を有し、前記取付部材は、ロックアームを有し、前記ロックアームは、前記取付部材の装着時の移動方向に延びる形状であって、前記移動方向の一端部に、前記ロック部にロックされる被ロック部を有し、前記移動方向の他端部に被押圧部を有し、前記被ロック部と前記被押圧部との間に支点部を有しており、前記ロックアームは、前記被押圧部への押圧により前記支点部を支点として弾性的に傾き、前記被ロック部を、前記ロック部を乗り越え可能な位置まで変位させるように動作する。
【００１０】
被押圧部を押圧すると、ロックアームが支点部を支点として弾性的に傾き、被ロック部がロック部を乗り越え可能な位置まで変位する。この状態で取付部材をハウジングに対して移動方向に押し込むと、被ロック部がロック部を乗り越えることができる。取付部材が正規に装着され、被押圧部への押圧が解除されると、ロックアームが弾性復帰し、被ロック部がロック部にロックされる。このため、被ロック部とロック部とのロック強度を大きくすることができ、また、ロック強度を大きくしても、ロックアームの傾き動作によって被ロック部がロック部を乗り越えることができる。その結果、被ロック部がロック部に信頼性良くロックされる状態を容易に実現することができる。
【００１１】
（２）前記被ロック部および前記ロック部の両ロック面のうち、少なくとも一方のロック面は、前記移動方向に対して垂直に配置されているのが好ましい。これによれば、被ロック部とロック部とのロック強度を大きくすることができ、ロックの信頼性を高めることができる。
【００１２】
（３）前記ハウジングは、相手ハウジングに嵌合され、前記ロックアームは、外面に、前記移動方向に延びるリブを有し、前記リブは、前記相手ハウジングに設けれられたリブ受部に嵌合して挿入されると良い。リブがリブ受部に嵌合して挿入されることにより、ロックアームの撓み動作および位置変動が抑えられ、被ロック部がロック部にロックされる状態を安定に維持することができる。また、リブがリブ受部に嵌合して挿入されることにより、両ハウジングの嵌合動作が案内され、かつ両ハウジングの誤嵌合を防止することもできる。
【００１３】
（４）前記取付部材は、前記移動方向と交差する方向に関して前記ロックアームの両側を覆う位置に、保護壁を有していると良い。これによれば、ロックアームが保護壁で保護されて異物と干渉しにくくなり、被ロック部とロック部とのロック状態が不用意に解除されるのを防止することができる。
【００１４】
（５）前記ロックアームは、前記移動方向の一端部の先端側において、前記被ロック部から突出する位置に、前記ハウジングの装着面から距離を置いて配置される突片部を有していると良い。これによれば、ハウジングの装着面と突片部との間に治具を差し入れ、その状態から突片部を治具で押圧することにより、被ロック部とロック部とのロック状態を容易に解除することができる。
【００１５】
（６）前記ロック部は、前記ハウジングの両側面に対をなして設けられ、前記ロックアームは、前記ロック部と対応する位置に、前記取付部材の両側面に対をなして設けられ、前記被押圧部は、前記移動方向の後端部に配置されていると良い。これによれば、被ロック部とロック部とのロック状態をコネクタの両側においてバランス良く実現することができる。しかも、被押圧部がロックアームにおいて移動方向の後端部に配置されているため、作業者が取付部材の両側面を持つことにより、特に意識しなくても自動的にロックアームを傾かせることができる。
【００１６】
［本開示の実施形態の詳細］
本開示のコネクタの具体例を、以下に図面を参照しつつ説明する。なお、本発明はこの例示に限定されるものではなく、特許請求の範囲によって示され、特許請求の範囲と均等の意味および範囲内でのすべての変更が含まれることが意図される。
【００１７】
本実施形態にかかるコネクタは、ハウジング１０と、取付部材としてのリテーナ１１と、を備えている。ハウジング１０は、相手ハウジング６０に嵌合される。ハウジング１０、リテーナ１１および相手ハウジング６０は、いずれも合成樹脂製である。なお、以下の説明において、前後方向については、両ハウジング１０、６０が嵌合開始時に互いに向き合う面側を前側とする。上下方向は、図１〜図７の各図の上下方向を基準とする。また、「内側」とはコネクタの左右方向（幅方向）の中央側（中心側）であり、「外側」とは「内側」の反対側であって左右方向の外側である。
【００１８】
＜相手ハウジング６０＞
相手ハウジング６０は前方に突出する筒状のフード部６１を有している（図１を参照）。フード部６１内には、図示しない雄型の端子金具のタブが突出して配置されている。フード部６１は、左右の側壁の内面に、複数のリブ受部６２を有している。各リブ受部６２は、前後方向に延びる断面矩形の溝である。フード部６１は、上壁の左右中央部に、上下方向に貫通するハウジングロック孔６３を有している。
【００１９】
＜ハウジング１０＞
ハウジング１０は、左右方向に長いハウジング本体１２を有している（図５を参照）。ハウジング１０は、ハウジング本体１２の上面の左右中央部から突出する撓み変形可能なハウジングロックアーム１３を有している。ハウジングロックアーム１３は、相手ハウジング６０のハウジングロック孔６３に嵌まる突起を有し、相手ハウジング６０を弾性的にロックする（図１を参照）。
【００２０】
ハウジング本体１２は、内部に、前後方向に延びる複数のキャビティ１４を有している。各キャビティ１４は、上下２段で、かつ左右方向に多数並んで配置されている。ハウジング本体１２は、各キャビティ１４の内壁下面に、撓み変形可能なランス１５を有している（図３を参照）。各ランス１５は、前方へ片持ち状に延びる形態になっている。各キャビティ１４には、後方から雌型の端子金具８０が挿入される。  
端子金具８０は、電線９０の端部に接続され、キャビティ１４に正規挿入された状態で、ランス１５により抜け止めされる。
【００２１】
ハウジング本体１２は、上段および下段の各キャビティ１４間、および下段の各キャビティ１４の下方に、左右方向に長い上下の空間部１６を有している（図５を参照）。各空間部１６は、ハウジング本体１２の前面に開口するとともに、ハウジング本体１２の左右の側面に開口するスリット状の溝になっている。各ランス１５は、各空間部１６に向けて撓み変形する。
【００２２】
ハウジング本体１２は、左右の側面に、仮係止用および本係止用の各ロック部１７、１８を有している（図５を参照）。仮係止用および本係止用の各ロック部１７、１８は、ハウジング本体１２の左右の側面にそれぞれ１つずつ設けられている。仮係止用のロック部１７は、ハウジング本体１２の左右の側面における上下の空間部１６間で、かつ前端側に配置されている。仮係止用の各ロック部１７は、ハウジング本体１２の左右の側面に爪状に突出している。ロック部１７の突出方向の端面は、前後方向に沿って平坦に形成されている（図８を参照）。ロック部１７の前面は、端面へ向けて後傾している。ロック部１７の後面は、左右方向に沿って配置されている。
【００２３】
本係止用のロック部１８は、ハウジング本体１２の左右の側面における空間部１６より後方で、かつ仮係止用のロック部１７よりも上方に位置ずれして配置されている（図５を参照）。本係止用のロック部１８は、ハウジング本体１２の左右の側面に爪状に突出している。ロック部１８の突出方向の端面は、前後方向に沿って平坦に形成されている（図８を参照）。ロック部１８の前面は、左右方向に沿って配置され、または端面へ向けて少し後傾している。ロック部１８の後面は、端面へ向けて前傾している。
【００２４】
ハウジング本体１２は、左右の側面における上下端部に、ガイド部１９を有している（図１、図２および図５を参照）。ガイド部１９は、仮係止用および本係止用のロック部１７、１８を挟んだ上下両側において、上側の空間部１６の上縁および下側の空間部１６の下縁に沿って前後方向に延びるリブ状の形態になっている。ガイド部１９の前端は、ハウジング本体１２の前端に位置している。ガイド部１９の後端は、本係止用のロック部１８より後方に位置している。
【００２５】
＜リテーナ１１＞
リテーナ１１は、ハウジング１０に前方から組み付けられる。リテーナ１１は、ハウジング１０に対し、仮係止位置（図４を参照）に移動規制状態に装着された後、仮係止位置から後方へ移動し、本係止位置（図２を参照）に移動規制状態に装着される。リテーナ１１は、上下の進入部２１を有している（図６を参照）。各進入部２１は、左右方向に延びる横架状をなし、各空間部１６に進入して配置される。各進入部２１は、左右端部および左右中央部において、上下方向に沿った連結部２２、２３を介して連結されている。左右中央部の連結部２２は、相手ハウジング６０の図示しない突出部を受けるため、前後方向に貫通する孔２４を有している。リテーナ１１は、各ランス１５と対応する位置に、各進入部２１から後方へ突出する板片状の規制部２５を有している。
【００２６】
リテーナ１１は、各進入部２１の左右端部から後方へ突出する上下の保護壁２６を有している。各保護壁２６は、全体として前後方向に延び、外側（左側および右側）に張り出すリブ状部分を有している。各保護壁２６の基端部（前端部）は、内側の規制部２５と一体に連結されている。各保護壁２６は、ハウジング本体１２の左右の側面において、上側のガイド部１９の下縁および下側のガイド部１９の上縁に沿って配置される（図２を参照）。
【００２７】
リテーナ１１は、各保護壁２６間で、かつ左右端部の連結部２３より外側に、ロックアーム２７を有している（図６を参照）。各ロックアーム２７は、前後方向に延びる帯板状のアーム本体２８を有している。アーム本体２８は、外面に、アーム本体２８の全長にわたって延びるリブ２９を有している。リブ２９は、アーム本体２８の上下中央部において、アーム本体２８の上下端部より厚肉に形成されている。リブ２９の突出方向の端面は、前後方向に沿って平坦に形成されている（図８を参照）。リブ２９の前面は、端面へ向けて後傾する部分を有している。リブ２９の後面は、端面へ向けて前傾している。アーム本体２８のうち、リブ２９の前面（傾斜部分）を含む部分は、作業者の指が押し当てられる被押圧部３１として構成される。
【００２８】
アーム本体２８は、内面における後端寄りの部分に、被ロック部３２を有している（図７および図８を参照）。被ロック部３２は、アーム本体２８の内面に角ブロック状に突出している。被ロック部３２は、アーム本体２８の上下方向の全幅に形成されている。被ロック部３２の突出方向の端面は、前後方向に沿って平坦に形成されている。被ロック部３２の前面および後面は、いずれも左右方向に沿って配置されている。被ロックの突出寸法は、仮係止用および本係止用の各ロック部１７、１８の突出寸法と同一または各ロック部１７、１８の突出寸法より少し小さくされている。
【００２９】
アーム本体２８は、後端部に、被ロック部３２より後方に突出する突片部３３を有している（図７および図８を参照）。突片部３３は、板片状をなし、前後方向に沿って平坦な内面を有している。  
アーム本体２８は、内面における前端部に、凹部３４を有している。凹部３４は、浅底の矩形凹所であって、アーム本体２８の内面における下端および前端に開口している。
【００３０】
各ロックアーム２７は、アーム本体２８の上下の端縁から保護壁２６にかけて延びる上下の支点部３５を有している（図２および図６を参照）。アーム本体２８は、各支点部３５を介して、上下の保護壁２６に連結されている。各支点部３５は、アーム本体２８の上下の端縁における前後方向の途中部、詳細には前後中央部につながっている。各支点部３５は、前後寸法が上下寸法より大きい板片状をなし、弾性的にねじり変形可能とされている。アーム本体２８は、各支点部３５を支点としてシーソ状に傾動変位可能（弾性変位可能）となる。アーム本体２８の前端部が左右端部の連結部２３に突き当たることにより、アーム本体２８の過剰な傾き動作が規制されるようになっている（図１０を参照）。
【００３１】
＜リテーナ１１の装着および両ハウジング１０、６０の嵌合＞
端子金具８０の組み付けに先立ち、リテーナ１１がハウジング１０に対し仮係止位置に装着される（図４を参照）。リテーナ１１が仮係止位置にあるとき、リテーナ１１の前面はハウジング本体１２の前面より前方に配置される。各規制部２５はランス１５より前方に配置される。このため、ランス１５の撓み動作は許容される。また、リテーナ１１が仮係止位置にあるとき、各ロックアーム２７および各保護壁２６はハウジング本体１２の左右の側面に対面して配置される。
【００３２】
リテーナ１１が仮係止位置へ向かう際、各ロックアーム２７の被押圧部３１が作業者の指で内側に押圧され、アーム本体２８が各支点部３５を支点としてシーソ状に傾く。これにより、各ロックアーム２７の被ロック部３２が仮係止用の各ロック部１７の前面に摺動しながら乗り上げられる。リテーナ１１が仮係止位置に至ると、各ロックアーム２７の被ロック部３２が仮係止用のロック部１７を乗り越え、指を離すことにより、アーム本体２８が弾性的に復帰する。これにより、各ロックアーム２７の被ロック部３２は、ロック部１７の後面に対面して当たり得る状態になる（図８を参照）。このため、リテーナ１１は、ハウジング１０に対し仮係止位置から前方へ抜け出るのが規制される。
【００３３】
また、リテーナ１１が仮係止位置に至ると、各ロックアーム２７の被ロック部３２が本係止用のロック部１８の前面に対面して当たり得る状態になる。ここで、被ロック部３２の後面（ロック面）は左右方向に沿って配置され、本係止用のロック部１８の前面（ロック面）も左右方向に沿って配置され、または少し後傾するに過ぎない。このため、被ロック部３２とロック部１８とは左右方向に沿って強固に当たり得る状態になる。その結果、リテーナ１１に対して後方への押し込み力を単に付与するだけでは、リテーナ１１は本係止位置へ向けて移動することができない。したがって、リテーナ１１は、ハウジング１０に対し仮係止位置から本係止位置へと不用意に移動するのが防止される。なお、仮係止用のロック部１７は、被ロック部３２の前面の下部に当たり得る状態になり、本係止用のロック部１８は、被ロック部３２の後面の上部に当たり得る状態になる（図４を参照）。
【００３４】
リテーナ１１が仮係止位置にあるとき、端子金具８０がキャビティ１４に後方から挿入される。ランス１５は、挿入途中の端子金具８０と干渉して撓み変形する。端子金具８０が正規に挿入されると、ランス１５が弾性的に復帰して端子金具８０を抜け止めする。
【００３５】
続いて、リテーナ１１が本係止位置に押し込まれる。リテーナ１１の移動に際し、各ロックアーム２７の被押圧部３１が作業者の指（例えば、人差し指と親指）で挟むようにして内側に押圧される。つまり、被押圧部３１に、図９の矢印Ａ方向の押圧力が付与される。すると、各ロックアーム２７のアーム本体２８が各支点部３５を支点として傾き、アーム本体２８の前端部が内側に変位するとともに、アーム本体２８の後端部が外側に変位する（図９を参照）。こうして、各ロックアーム２７の被ロック部３２が本係止用の各ロック部１８の端面と同じ位置または各ロック部１８の端面を超える位置まで外側に変位すると、被ロック部３２とロック部１８とのロック状態が解除される。その状態でリテーナ１１が後方へ押し込まれる。この間、各ロックアーム２７の被押圧部３１には作業者の指で押圧される状態が維持され、アーム本体２８も傾いた状態が維持される。リテーナ１１が本係止位置へ向かう過程で、被ロック部３２が本係止用のロック部１８の端面に乗り上げられる（図１０を参照）。このとき、アーム本体２８の後端部が内側へ大きく変位するものの、凹部３４に仮係止用のロック部１７が進入することにより、仮係止用のロック部１７とアーム本体２８との干渉が回避され、アーム本体２８の撓み動作が適正になされる。その後、各連結部２２、２３がハウジング本体１２に突き当たり、リテーナ１１の後方への移動操作が阻止される。ここで作業者は、各ロックアーム２７の被押圧部３１に対する押圧を解除する。すると、各ロックアーム２７のアーム本体２８が前後方向に沿った自然状態に弾性的に復帰する。
【００３６】
各ロックアーム２７の被ロック部３２は、本係止用のロック部１８の端面を乗り越え、アーム本体２８の弾性復帰に伴って内側へ変位し、ロック部１８の後面に対面して当たり得る状態になる（図１１を参照）。こうして各ロックアーム２７の被ロック部３２が本係止用のロック部１８にロックされることにより、リテーナ１１が本係止位置に移動規制状態に保持される。
【００３７】
また、リテーナ１１が本係止位置に至ると、各規制部２５が各空間部１６において各ランス１５の下方空間に進入する（図３を参照）。これにより、各ランス１５の撓み動作が規制され、各端子金具８０が各キャビティ１４内に確実に抜け止めされた状態になる。
【００３８】
リテーナ１１が本係止位置にあるときに、各ロックアーム２７の被ロック部３２の端面はハウジング本体１２の左右の側面（装着面）に対面して当たり得る状態に配置され、突片部３３とハウジング本体１２の左右の側面との間には所定の隙間が形成される（図１１を参照）。本係止位置における被ロック部３２とロック部１８とのロック状態を解除する際には、図示しないロック解除用の治具がハウジング本体１２の左右の側面に沿って後方からスライドさせられ、治具の先端部が前記隙間に進入した状態で突片部３３の内面に当てられる。その状態で、突片部３３が治具で押圧されて外側に開くように変位させられ、被ロック部３２がロック部１８から離れてロック部１８とのロック状態を解除するようにする。
【００３９】
両ハウジング１０、６０の嵌合に際し、ハウジング１０は相手ハウジング６０のフード部６１内に挿入される。ハウジングロックアーム１３の突起部分がハウジングロック孔６３に弾性的に嵌まることにより、両ハウジング１０、６０が嵌合状態に保持される（図１を参照）。両ハウジング１０、６０の嵌合過程において、各ロックアーム２７のリブ２９および各保護壁２６のリブ状部分が相手ハウジング６０の各リブ受部６２に嵌合して挿入される。これにより、両ハウジング１０、６０の嵌合動作が案内される。また、ハウジング１０が相手ハウジング６０に対し正規とは逆の姿勢で嵌合されようとすると、各ロックアーム２７のリブ２９および各保護壁２６のリブ状部分がフード部６１の開口端と干渉し、両ハウジング１０、６０の嵌合動作が規制される。これにより、両ハウジング１０、６０の誤嵌合が防止される。
【００４０】
各ロックアーム２７のリブ２９が各リブ受部６２に嵌合して挿入されることにより（図１を参照）、各ロックアーム２７の撓み動作が抑えられるとともに、各ロックアーム２７の位置変動も抑えられる。このため、各ロックアーム２７の被ロック部３２が本係止用の各ロック部１８にロックされる状態が安定に維持される。
【００４１】
以上のとおり、本実施形態によれば、リテーナ１１を仮係止位置から本係止位置に移動させる際に、被押圧部３１を押圧すると、アーム本体２８が弾性的に傾き、被ロック部３２が本係止用のロック部１８を乗り越え可能な位置まで変位する。このため、その状態からリテーナ１１を本係止位置に押し込み、被押圧部３１への押圧を解除することにより、被ロック部３２がロック部１８を乗り越えてロック部１８にロックされ、リテーナ１１が本係止位置に装着される状態を容易に実現することができる。このように、アーム本体２８が弾性的に傾くと、被ロック部３２がロック部１８を乗り越え可能に変位するから、被ロック部３２の変位分、被ロック部３２とロック部１８との掛かり代を増大させることができ、ロック強度を高めることができる。
【００４２】
また、本係止用の各ロック部１８がハウジング本体１２の左右の側面に対をなして設けられ、各ロックアーム２７もリテーナ１１の左右の側面に対をなして設けられ、被押圧部３１が各ロックアーム２７の前端部（本係止位置への移動方向の後端部）に配置されているため、被ロック部３２とロック部１８とのロック状態をコネクタの左右両側においてバランス良く実現することができる。しかも、リテーナ１１を本係止位置に移動させる際、作業者がリテーナ１１の左右の側面を挟むように持つことにより、特に意識しなくともアーム本体２８を傾かせることができ、被ロック部３２がロック部１８を乗り越え可能な状態を自然に実現することができる。
【００４３】
また、リテーナ１１が各ロックアーム２７の上下両側を覆う位置に保護壁２６を有しているため、アーム本体２８が異物と干渉するのを回避することができる。さらに、リテーナ１１が本係止位置にあるときには、ハウジング１０の各ガイド部１９も各ロックアーム２７の上下両側を覆うことになる。したがって、各ロックアーム２７の被ロック部３２と各ロック部１７、１８とのロック状態が異物との干渉によって不用意に解除されるのを防止することができる。
【００４４】
［他の実施形態］
今回開示された実施の形態はすべての点で例示であって制限的なものではないと考えるべきである。  
例えば、上記実施形態の場合、リテーナ１１がハウジング１０に対し前方から装着されるフロントタイプであったが、他の実施形態としては、リテーナがハウジングに対し側方から装着されるサイドタイプであってもよい。  
上記実施形態の場合、取付部材が端子金具８０を抜け止めする機能を有するリテーナ１１であったが、他の実施形態としては、取付部材が端子金具を抜け止めする機能を有さなくてもよく、例えば、フロントマスクであってもよい。  
上記実施形態の場合、取付部材がハウジング１０に対して仮係止位置と本係止位置とに移動可能に装着されたが、他の実施形態としては、取付部材がハウジングに対し仮係止位置を経ずに移動して本係止状態になる構成であってもよい。    上記実施形態の場合、被押圧部３１がアーム本体２８の外面におけるリブの傾斜面に設けられていたが、他の実施形態としては、アーム本体の外面に滑り止め用の凹凸構造を設け、その凹凸構造を含む部分を被押圧部としてもよい。  
上記実施形態の場合、アーム本体２８の内面に仮係止用のロック部１７との干渉を回避するための凹部３４が設けられていたが、他の実施形態としては、アーム本体の内面に凹部が設けられていなくてもよい。例えば、アーム本体は、傾いた際に仮係止用のロック部と干渉して弾性撓みする構成であってもよい。  
上記実施形態の場合、被押圧部３１がアーム本体２８の前端部（移動方向の後端部）に設けられ、被ロック部３２がアーム本体２８の後端部（移動方向の前端部）に設けられていたが、他の実施形態としては、被押圧部がアーム本体の後端部（移動方向の前端部）に設けられ、被ロック部がアーム本体の前端部（移動方向の後端部）に設けられていてもよい。
上記実施形態の場合、取付部材の本係止状態を治具で解除していたが、他の実施形態としては、指で被押圧部を押しながら取付部材を後方へ移動させてもよい。
【符号の説明】
【００４５】
１０…ハウジング
１１…リテーナ
１２…ハウジング本体
１３…ハウジングロックアーム
１４…キャビティ
１５…ランス
１６…空間部
１７…（仮係止用の）ロック部  
１８…（本係止用の）ロック部
１９…ガイド部
２１…進入部
２２…（左右中央部の）連結部
２３…（左右端部の）連結部
２４…孔
２５…規制部
２６…保護壁
２７…ロックアーム
２８…アーム本体
２９…リブ
３１…被押圧部
３２…被ロック部
３３…突片部
３４…凹部
３５…支点部
６０…相手ハウジング
６１…フード部
６２…リブ受部
６３…ハウジングロック孔
８０…端子金具
９０…電線
【図１】
2020161360.tif 000003
【図２】
2020161360.tif 000004
【図３】
2020161360.tif 000005
【図４】
2020161360.tif 000006
【図５】
2020161360.tif 000007
【図６】
2020161360.tif 000008
【図７】
2020161360.tif 000009
【図８】
2020161360.tif 000010
【図９】
2020161360.tif 000011
【図１０】
2020161360.tif 000012
【図１１】
2020161360.tif 000013